(57)【要約】      （修正有）【課題】省電力モードのとき、ＤＣＤＣコンバーターで消費される電力を減らす。【解決手段】電源装置は、通常電圧と通常電圧よりも小さい省エネ電圧を生成し、何れか一方を第１電圧として出力するＡＣ−ＤＣ電源部５と、省エネ電圧よりも大きく通常電圧よりも小さい設定電圧を第１電圧に基づき生成し、第２電圧として出力するＤＣＤＣコンバーター６と、通常モードのときＡＣ−ＤＣ電源部に通常電圧を出力させ、省電力モードではＡＣ−ＤＣ電源部に省エネ電圧を出力させる制御回路２１と、第１電圧及び第２電圧の何れか一方に基づく電圧を第３電圧として制御回路に入力する切替部７と、省電力モードでは第１電圧を第３電圧として切替部に出力させるとともにＤＣＤＣコンバーターを停止させ、通常モードではＤＣＤＣコンバーターを動作させ、第２電圧を第３電圧として切替部に出力させる監視回路部８を含む。【選択図】図３
2017063537.tif 000002
【特許請求の範囲】
【請求項１】
直流の通常電圧と、前記通常電圧よりも小さい直流電圧である省エネ電圧を生成可能であり、何れか一方を第１電圧として出力するＡＣ−ＤＣ電源部と、
通常モードでは、前記省エネ電圧よりも大きく、前記通常電圧よりも小さい電圧であって、予め定められた大きさの設定電圧を前記第１電圧に基づき生成し、第２電圧として出力するＤＣＤＣコンバーターと、
省電力モードでも動作し、また、前記通常モードのとき前記ＡＣ−ＤＣ電源部に前記通常電圧を生成、出力させ、前記通常モードで予め定められた移行条件が満たされたことにより前記省電力モードに移行し、前記省電力モードでは前記ＡＣ−ＤＣ電源部に前記省エネ電圧を生成、出力させ、前記省電力モードで予め定められた復帰条件が満たされたことにより前記通常モードに復帰する制御回路と、
前記第１電圧及び前記第２電圧が入力され、前記第１電圧及び前記第２電圧の何れか一方に基づく電圧を第３電圧として出力し、前記第３電圧を前記制御回路に入力して前記制御回路を動作させる切替部と、
前記省電力モードでは前記第１電圧を前記第３電圧として前記切替部に出力させるとともに前記ＤＣＤＣコンバーターを停止させ、前記通常モードでは前記ＤＣＤＣコンバーターを動作させ、前記第２電圧を前記第３電圧として前記切替部に出力させる監視回路部と、を含むことを特徴とする電源装置。
【請求項２】
前記監視回路部は、プラスの入力端子に前記第１電圧が入力され、マイナスの入力端子には前記省エネ電圧よりも大きく前記通常電圧よりも小さい第１参照電圧が入力される第１コンパレーターと、論理和回路を含み、
前記制御回路は、前記ＡＣ−ＤＣ電源部に生成すべき電圧を指示する電源制御信号を出力し、前記通常モードとするため前記通常電圧を生成させるとき、前記電源制御信号のレベルをＨｉｇｈとし、前記省電力モードとするため前記省エネ電圧を生成させるとき、前記電源制御信号のレベルをＬｏｗとし、
前記第１コンパレーターは、前記論理和回路の一方の入力端子に前記第１コンパレーターの出力を入力し、
前記制御回路は、前記論理和回路の他方の入力端子に前記電源制御信号を入力し、
前記論理和回路は、出力をイネーブル信号として前記ＤＣＤＣコンバーターに入力し、
前記ＤＣＤＣコンバーターは、前記イネーブル信号がＨｉｇｈの間、動作して前記第２電圧を生成し、前記イネーブル信号がＬｏｗになると停止することを特徴とする請求項１に記載の電源装置。
【請求項３】
前記第１コンパレーターは、出力を切替指示信号として前記切替部に入力し、
前記切替部は、前記切替指示信号がＨｉｇｈのとき前記第２電圧に基づく電圧を前記第３電圧として出力し、前記切替指示信号がＬｏｗのとき前記第１電圧に基づく電圧を前記第３電圧として出力することを特徴とする請求項２に記載の電源装置。
【請求項４】
前記切替部は、前記切替指示信号が入力される第１トランジスタ、第２トランジスタを含み、
前記第１トランジスタと前記第２トランジスタは、一方がＯＮのとき他方がＯＦＦとなり、
前記第１トランジスタは、前記ＡＣ−ＤＣ電源部の前記第１電圧が印加され、前記切替指示信号がＨｉｇｈのときＯＦＦ状態となりＬｏｗのときＯＮ状態となり、ＯＮ状態では前記第１電圧に基づく電圧を前記第３電圧として出力し、
前記第２トランジスタは、前記ＤＣＤＣコンバーターの前記第２電圧が印加され、前記切替指示信号がＬｏｗのときＯＦＦ状態となりＨｉｇｈのときＯＮ状態となり、ＯＮ状態では前記第２電圧に基づく電圧を前記第３電圧として出力することを特徴とする請求項３に記載の電源装置。
【請求項５】
前記制御回路は、消費電力に差がある複数のモードを有し、
前記監視回路部は、プラスの入力端子に前記第１電圧が入力され、マイナスの入力端子には前記通常電圧よりも小さく、前記第１参照電圧と前記省エネ電圧よりも大きい第２参照電圧が入力される第２コンパレーターと、排他的論理和回路を含み、
前記第２コンパレーターは、前記第１電圧が前記第２参照電圧よりも大きい間、Ｈｉｇｈを出力し、
前記第２コンパレーターは、前記排他的論理和回路の一方の入力端子に前記第２コンパレーターの出力を入力し、
前記ＤＣＤＣコンバーターは、前記排他的論理和回路の他方の入力端子に前記ＤＣＤＣコンバーターの出力を入力し、
前記排他的論理和回路は、出力を切替通知信号として前記制御回路に入力し、
前記制御回路は、前記切替通知信号が立ち上がった後、予め定められた時間、複数のモードのうち、消費電力が最も小さいモードを維持することを特徴とする請求項４に記載の電源装置。
【請求項６】
前記制御回路は、前記ＡＣ−ＤＣ電源部に生成すべき電圧を指示する電源制御信号を出力し、前記通常電圧を生成させるとき、前記電源制御信号のレベルをＨｉｇｈとし、前記省エネ電圧を生成させるとき、前記電源制御信号のレベルをＬｏｗとし、
前記ＡＣ−ＤＣ電源部は、入力される前記電源制御信号のレベルに応じた電圧を生成、出力することを特徴とする請求項１乃至５の何れか１項に記載の電源装置。
【請求項７】
請求項１〜請求項６の何れか１項に記載の電源装置を含むことを特徴とする画像形成装置。
【発明の詳細な説明】
【技術分野】
【０００１】
本発明は、省電力モードを有するＤＣＤＣコンバーターを含む電源装置に関する。又、この電源装置を含む画像形成装置に関する。
【背景技術】
【０００２】
プリンター、複合機、複写機、ファクシミリ装置のような画像形成装置には、回路、素子、電子部品が搭載された基板が１又は複数設けられる。これらの回路、素子、電子部品に適切な大きさの電圧を生成するため、ＤＣＤＣコンバーターのような電力変換回路が画像形成装置に搭載される。そして、特許文献１には、スリープ（省電力状態）でのＤＣＤＣコンバーターの出力電圧を低くし、消費電流を減らして省電力を実現しようとする電源装置の一例が記載されている。
【０００３】
具体的に、特許文献１には、スリープ時のＡＣ−ＤＣコンバーター３０１の電圧Ｖａの目標値を３．１Ｖ程度まで下げ、ＡＣ−ＤＣコンバーター３０１から３．１Ｖの出力電圧Ｖａが出力された場合、ＤＣ−ＤＣコンバーター３０２はオンデューティを１００％とし、スイッチング動作を行わない。スリープ時には、流れる電流も少ないため、ＤＣ−ＤＣコンバーター３０２は、入力された電圧３．１ＶをそのままＣＰＵ３０３に出力し、入力電圧をスルーして出力電圧とする電源装置が記載されている。この構成により、消費電力を低減し省電力化を図ろうとする（特許文献１：段落［００３３］等参照）。
【先行技術文献】
【特許文献】
【０００４】
【特許文献１】特開２０１４−０８７２３７号公報
【発明の概要】
【発明が解決しようとする課題】
【０００５】
ＤＣＤＣコンバーターは、通常、コンデンサーとコンデンサーよりも前段に設けられたスイッチング素子を含む。単位時間内でのコンデンサーに電圧を印加する時間（オンデューティ）を調整することにより、設定された大きさの電圧がＤＣＤＣコンバーターから出力される。また、ＤＣＤＣコンバーター内には、スイッチング素子を制御し、ＤＣＤＣコンバーターの出力電圧の大きさを認識し、認識した出力電圧の大きさに基づきオンデューティを調整するコントローラーが設けられる。
【０００６】
特許文献１記載の電源装置では、ＤＣ−ＤＣコンバーター３０２は、オンデューティを１００％とし、入力電圧３．１ＶをそのままＣＰＵ３０３に出力する（入力電圧をスルーして出力電圧とする）。これにより、出力電圧を下げ、省電力を実現しようとする。しかし、特許文献１記載の技術では、省電力モード中、ＤＣＤＣコンバーター内のコントローラーやフィードバック制御用の回路が動作を続けている。従って、特許文献１記載の技術には、省電力モード中、ＤＣＤＣコンバーターが動作し続け、コントローラーのような回路で電力の消費が続けられているという問題がある。
【０００７】
本発明は、上記従来技術の問題点に鑑みてなされたものであり、省電力モードのとき、ＤＣＤＣコンバーターで消費される電力を減らす。
【課題を解決するための手段】
【０００８】
上記課題を解決するため、請求項１に係る電源装置は、ＡＣ−ＤＣ電源部、ＤＣＤＣコンバーター、制御回路、切替部、監視回路部を含む。前記ＡＣ−ＤＣ電源部は、直流の通常電圧と、前記通常電圧よりも小さい直流電圧である省エネ電圧を生成可能であり、何れか一方を第１電圧として出力する。前記ＤＣＤＣコンバーターは、通常モードでは、前記省エネ電圧よりも大きく、前記通常電圧よりも小さい電圧であって、予め定められた大きさの設定電圧を前記第１電圧に基づき生成し、第２電圧として出力する。前記制御回路は、省電力モードでも動作し、また、前記通常モードのとき前記ＡＣ−ＤＣ電源部に前記通常電圧を生成、出力させ、前記通常モードで予め定められた移行条件が満たされたことにより前記省電力モードに移行し、前記省電力モードでは前記ＡＣ−ＤＣ電源部に前記省エネ電圧を生成、出力させ、前記省電力モードで予め定められた復帰条件が満たされたことにより前記通常モードに復帰する。前記切替部は、前記第１電圧及び前記第２電圧が入力され、前記第１電圧及び前記第２電圧の何れか一方に基づく電圧を第３電圧として出力し、前記第３電圧を前記制御回路に入力して前記制御回路を動作させる。前記監視回路部は、前記省電力モードでは前記第１電圧を前記第３電圧として前記切替部に出力させるとともに前記ＤＣＤＣコンバーターを停止させ、前記通常モードでは前記ＤＣＤＣコンバーターを動作させ、前記第２電圧を前記第３電圧として前記切替部に出力させる。
【発明の効果】
【０００９】
省電力モードのとき、ＤＣＤＣコンバーターを停止させ、ＤＣＤＣコンバーターで消費される電力が従来よりも少ない電源装置、画像形成装置を提供することができる。
【図面の簡単な説明】
【００１０】
【図１】実施形態に係るプリンターの一例を示す図である。
【図２】実施形態に係るプリンターの電力供給系統の一例を示す図である。
【図３】実施形態に係る電源装置の一例を示す図である。
【図４】実施形態に係る切替部の一例を示す図である。
【図５】実施形態に係る監視回路部のハードウェアの一例を示す図である。
【図６】実施形態に係る電源装置の主電源投入時の動作の流れを示す図である。
【図７】実施形態に係る電源装置の省電力モード移行時の動作の流れを示す図である。
【図８】実施形態に係る電源装置の通常モードへの復帰時の動作の流れを示す図である。
【発明を実施するための形態】
【００１１】
以下、図１〜図８を用いて、本発明の実施形態に係る電源装置１を含む画像形成装置を説明する。画像形成装置としてプリンター１００を例にあげて説明する。但し、本実施の形態に記載されている構成、配置のような各要素は、発明の範囲を限定するものではなく単なる説明例にすぎない。
【００１２】
（画像形成装置の概要）
まず、図１に基づき、実施形態に係るプリンター１００を説明する。図１は、実施形態に係るプリンター１００の一例を示す図である。
【００１３】
図１に示すように、プリンター１００は、制御部２を有する。制御部２は、装置全体の動作を統括しプリンター１００の各部を制御する。そして、制御部２にはＣＰＵ２１（制御回路に相当）が設けられる。又、制御部２は、制御用プログラムやデータを記憶するＲＯＭやＲＡＭのようなメモリー２２や、印刷に必要な画像処理を行う画像処理部２３のような回路を実装する。また、プリンター１００は、ＨＤＤ２４のような大容量記憶装置を含む。
【００１４】
又、制御部２は、操作パネル３と通信可能に接続される。操作パネル３は、設定用の画面やプリンター１００の状態やメッセージを表示する表示パネル３１を含む。制御部２は、表示パネル３１の表示を制御する。また、操作パネル３は、タッチパネルやハードキーのような使用者の操作を受け付ける操作受付部３２を含む。制御部２は、操作受付部３２になされた設定操作内容を認識する。そして、制御部２は、使用者の設定にあわせてプリンター１００を制御する。
【００１５】
又、プリンター１００は、印刷部４を含む。印刷部４を用いて、カラー印刷が可能である。印刷部４は、エンジン制御部４０、給紙部４ａ、搬送部４ｂ、画像形成部４ｃ、中間転写部４ｄ、定着部４ｅを含む。制御部２は、印刷指示、印刷ジョブの内容、印刷に用いる画像データをエンジン制御部４０に与える。エンジン制御部４０は給紙部４ａ、搬送部４ｂ、画像形成部４ｃ、中間転写部４ｄ、定着部４ｅの動作を制御して、給紙、用紙搬送、トナー像の形成、転写、定着のような印刷関連処理を実際に制御する。
【００１６】
給紙部４ａは、印刷に用いる用紙を一枚ずつ供給する。搬送部４ｂは、供給された用紙を、画像形成部４ｃ、中間転写部４ｄ、定着部４ｅを経て排出トレイ（不図示）まで搬送する。画像形成部４ｃは、搬送部４ｂより搬送される用紙にのせるトナー像を形成する。プリンター１００はカラー印刷対応であるので、画像形成部４ｃは、各色のトナー像を形成する画像形成ユニット（不図示）を複数含む。中間転写部４ｄは、各画像形成ユニットで形成された各色のトナー像の１次転写を受ける中間転写ベルト（不図示）を含む。中間転写部４ｄは中間転写ベルトを回転させ、搬送される用紙に重畳されたトナー像を２次転写する。定着部４ｅは、用紙に転写されたトナー像を定着させる。搬送部４ｂは、トナー像が定着された用紙を排出トレイに排出する。
【００１７】
又、プリンター１００は、通信部２５を含む。通信部２５は、ＰＣやサーバーのようなコンピューター２００と、ネットワークやケーブルにより、通信可能に接続される。通信部２５は、コンピューター２００から画像データのような印刷内容を示すデータと印刷に関する設定を示すデータを含む印刷用データを受信する。制御部２は、印刷用データに基づく印刷を印刷部４に行わせる。
【００１８】
（電力供給系統）
次に、図２を用いて、実施形態に係るプリンター１００での電力供給系統の一例を説明する。図２は、実施形態に係るプリンター１００の電力供給系統の一例を示す図である。尚、図２では電力の流れを白抜矢印で示している。
【００１９】
図２に示すように、プリンター１００は、制御部２（主制御基板）に電力供給を行う部分として、ＡＣ−ＤＣ電源部５とＤＣＤＣコンバーター６を含む。ＡＣ−ＤＣ電源部５は、電源ケーブル（不図示）により商用電源と接続される。ＡＣ−ＤＣ電源部５は、整流回路、トランス、スイッチング素子、平滑回路を有するスイッチング電源である。ＡＣ−ＤＣ電源部５は、商用電源が接続されると交流電力を整流、降圧し、直流電圧を出力する。
【００２０】
ＡＣ−ＤＣ電源部５は、直流の通常電圧と、通常電圧よりも小さい直流電圧である省エネ電圧を生成可能であり、何れか一方を第１電圧Ｖ１として出力する。通常電圧は、例えば、ＤＣ２４Ｖであり、省エネ電圧は、例えば、ＤＣ３．０Ｖである。ＡＣ−ＤＣ電源部５は、ＣＰＵ２１の指示（電源制御信号Ｓ１）に基づき、第１電圧Ｖ１の大きさを切り替える。第１電圧Ｖ１の大きさを変更するため、電圧制御部５０がＡＣ−ＤＣ電源部５の内部に設けられる。電圧制御部５０は、ＡＣ−ＤＣ電源部５のスイッチングでのＯＮデューティやスイッチング周波数を調整して、通常電圧と省エネ電圧の何れかを出力する。
【００２１】
ＤＣＤＣコンバーター６は、主制御基板に設けられたＣＰＵ２１の動作に必要な電圧を生成する。なお、ＤＣＤＣコンバーター６の生成した電圧は、メモリー２２、画像処理部２３、通信部２５、その他の回路、素子のようなデバイスにも供給されてもよい。また、メモリー２２、画像処理部２３、通信部２５の動作に必要な電圧を生成する電力変換回路が別途設けられてもよい。ＤＣＤＣコンバーター６は、通常モードにおいて、ＡＣ−ＤＣ電源部５の第１電圧Ｖ１（通常電圧）が入力され、生成した電圧を第２電圧Ｖ２として出力する。ＣＰＵ２１に供給すべき電圧範囲は、定められている。ＤＣＤＣコンバーター６は、供給すべき電圧の範囲内で予め定められている設定電圧を出力する。
【００２２】
また、プリンター内には、他にエンジン制御部４０（エンジン基板）、操作パネル３（パネル基板）のような基板が設けられる。ＡＣ−ＤＣ電源部は各基板に電力を供給する。エンジン基板には、２次電源部５ａが設けられる。パネル基板には２次電源部５ｂが設けられる。２次電源部５ａ、５ｂは、ＡＣ−ＤＣ電源部からの電圧を変換し、各基板に設けられたデバイス（ＣＰＵ、マイコン、メモリーのような回路や素子）の動作に必要な電圧を生成する。
【００２３】
（通常モードと省電力モード）
次に、図２を用いて、実施形態に係るプリンター１００（電源装置１）での通常モードと省電力モードを説明する。
【００２４】
実施形態に係るプリンター１００（電源装置１）は、通常モードと省電力モードを有する。省電力モードでは、予め定められた供給停止部分への電力供給が停止される。本実施形態のプリンター１００では、供給停止部分は、操作パネル３、印刷部４である。図２のうち、省電力モードでは、２次電源部５ａ、５ｂは、エンジン制御部４０（エンジン基板）、操作パネル３（パネル基板）内のデバイスへの電力供給を停止する。一方、通常モードは、直ちに印刷できる状態であり、供給停止部分への電力供給がなされる。なお、主電源投入時、プリンター１００（電源装置１）は、通常モードで起動する。
【００２５】
制御部２のうち、ＣＰＵ２１や通信部２５は、省電力モードでも電力が供給され、動作する。ＣＰＵ２１は、通常モードに復帰するとき通常電圧の生成をＡＣ−ＤＣ電源部５に指示し、ＡＣ−ＤＣ電源部５に通常電圧を出力させる。ＣＰＵ２１は、通常モードで予め定められた移行条件が満たされたことを認識する。これにより、ＣＰＵ２１は、プリンター１００（電源装置１）を省電力モードに移行させる。ＣＰＵ２１は、省電力モードに移行するとき、省エネ電圧の生成をＡＣ−ＤＣ電源部５に指示し、省エネ電圧をＡＣ−ＤＣ電源部５に出力させる。ＣＰＵ２１は、省電力モードで予め定められた復帰条件が満たされたことを認識する。これにより、ＣＰＵ２１は、プリンター１００（電源装置１）を通常モードに復帰させる。
【００２６】
「移行条件」は適宜定められる。制御部２（ＣＰＵ２１）は、通常モードとなってから、あるいは、印刷ジョブが完了してから、通信部２５に次の印刷ジョブの入力がないまま、数分のような予め定められた時間が経過したとき、移行条件が満たされたと判断する。また、制御部２は、操作パネル３に省電力モードの移行の指示入力がなされたとき、移行条件が満たされたと判断する。尚、移行条件は上記に限られず、他の条件が設けられてもよい。
【００２７】
「復帰条件」も適宜定められる。制御部２（ＣＰＵ２１）は、省電力モード中に通信部２５に印刷ジョブ（印刷用データ）の入力があったとき、復帰条件が満たされたと判断する。また、制御部２は、操作パネル３が操作されたとき、復帰条件が満たされたと判断する。そのため、省電力モードでも操作パネル３の操作受付部３２には電力を供給してもよい。尚、復帰条件は上記に限られず、他の条件が設けられてもよい。
【００２８】
（電源装置１の概要）
次に、図３を用いて、実施形態に係る電源装置１の概要を説明する。図３は、実施形態に係る電源装置１の一例を示す図である。
【００２９】
電源装置１は、プリンター１００の一部を構成する。電源装置１は、ＣＰＵ２１、ＡＣ−ＤＣ電源部５、ＤＣＤＣコンバーター６、切替部７、監視回路部８を含む。
【００３０】
ＡＣ−ＤＣ電源部５は、ＣＰＵ２１の指示（電源制御信号Ｓ１）に基づき、通常電圧又は省エネ電圧を生成する。ＣＰＵ２１は、ＡＣ−ＤＣ電源部５に電源制御信号Ｓ１を入力する。通常モードのとき、ＣＰＵ２１は、電源制御信号Ｓ１のレベルを通常電圧の生成を指示するレベル（Ｈｉｇｈ）とする。本実施形態では、通常電圧の大きさは、モーター４１を駆動するためのＤＣ２４Ｖである。モーター４１は、印刷部４の給紙、用紙搬送、トナー像形成、転写、定着のための回転体を回転させる。なお、省電力モードでは、スイッチ部４２によって、モーター４１への電力供給が遮断される。
【００３１】
省電力モードのとき、ＣＰＵ２１は、電源制御信号Ｓ１のレベルを省エネ電圧の生成を指示するレベル（Ｌｏｗ）とする。省エネ電圧の大きさは、ＣＰＵ２１を動作可能な３．０Ｖである。ＣＰＵ２１は、ＡＣ−ＤＣ電源部５が生成する省エネ電圧に基づき、省電力モードでも動作を続ける。ＣＰＵ２１は、省電力モードで復帰条件が満たされたか否かの確認を続ける。ＣＰＵ２１の動作電圧範囲は、およそ３．０Ｖ〜３．８Ｖ程度とされる。
【００３２】
ここで、ＣＰＵ２１は、消費電力に差がある複数のモードを有する。ＣＰＵ２１は、通常動作モード、ナップモード、スリープモードを有する。通常動作モードは、ＣＰＵ２１内の全ての回路を通常周波数で動作させるモードであり、消費電力が最も大きい。ナップモードは、ＣＰＵ２１内の一部の回路の使用しないようにしたり、動作周波数を通常動作モードよりも低くしたりして、消費電力を通常動作モードよりも減らすモードである。スリープモードは、ナップモードよりもＣＰＵ２１の内部で使用する回路を減らしたり、動作周波数をナップモードよりも低くしたりして、消費電力をナップモードよりも減らすモードである。
【００３３】
ＤＣＤＣコンバーター６は、予め設定された設定電圧を生成し、第２電圧Ｖ２として出力する。本実施形態のＤＣＤＣコンバーター６の設定電圧は、３．３Ｖである。ＤＣＤＣコンバーター６は、設定電圧を出力する。ＤＣＤＣコンバーター６は、通常モードで制御部２のＣＰＵ２１に電力供給を行う。ＣＰＵ２１は、省電力モードでは、ＤＣＤＣコンバーター６を停止させる（詳細は後述）。
【００３４】
切替部７は、第２電圧Ｖ２（ＤＣＤＣコンバーター６の出力）及び第１電圧Ｖ１（ＡＣ−ＤＣ電源部５の出力）が入力される。そして、ＣＰＵ２１（制御回路）を動作させるため、切替部７は、何れか一方を第３電圧Ｖ３として出力する。第３電圧Ｖ３はＣＰＵ２１に入力される。
【００３５】
監視回路部８は、省電力モードでは第１電圧Ｖ１（省エネ電圧）を第３電圧Ｖ３として切替部７に出力させる。その結果、切替部７は、省電力モードでは、省エネ電圧を第３電圧Ｖ３としてＣＰＵ２１に入力する。監視回路部８は、通常モードでは、ＤＣＤＣコンバーター６を動作させ、第２電圧Ｖ２（ＤＣＤＣコンバーター６の出力電圧）を第３電圧Ｖ３として切替部７に出力させる。その結果、切替部７は、通常モードでは、第２電圧Ｖ２を第３電圧Ｖ３としてＣＰＵ２１に入力する。
【００３６】
また、監視回路部８は、ＤＣＤＣコンバーター６にイネーブル信号Ｓ２を出力する。イネーブル信号Ｓ２のレベルが動作指示レベルのとき、ＤＣＤＣコンバーター６は動作する。イネーブル信号Ｓ２のレベルが停止指示レベルのとき、ＤＣＤＣコンバーター６は停止する（出力電圧ゼロ）。監視回路部８は、省電力モードでは、ＤＣＤＣコンバーター６を停止させる。
【００３７】
また、監視回路部８は切替通知信号Ｓ３をＣＰＵ２１に入力する。切替通知信号Ｓ３は第３電圧Ｖ３の切替（第１電圧Ｖ１から第２電圧Ｖ２への切替、又は、第２電圧Ｖ２から第１電圧Ｖ１への切替）がなされることを事前にＣＰＵ２１に通知する信号である。
【００３８】
電圧の切替時、ＣＰＵ２１に流す電流を抑えないと、ＣＰＵ２１に入力される電圧の降下が大きくなり、ＣＰＵ２１が停止するおそれがある（詳細は後述）。そこで、切替通知信号Ｓ３によって切替部７からの第３電圧Ｖ３の切替がまもなく行われるとき、ＣＰＵ２１は、予め定められた時間、複数のモードのうち、消費電力が最も小さいモード（スリープモード）を維持する。
【００３９】
（切替部７）
次に、図４を用いて、実施形態に係る切替部７を説明する。図４は、実施形態に係る切替部７の一例を示す図である。
【００４０】
切替部７は、第１トランジスタ７１、第２トランジスタ７２、第３トランジスタ７３、第４トランジスタ７４、第５トランジスタ７５、抵抗Ｒ１、抵抗Ｒ２、抵抗Ｒ３、抵抗Ｒ４、抵抗Ｒ５を含む。第１トランジスタ７１と第２トランジスタ７２は、ＭＯＳＦＥＴである（他種のトランジスタでも良い）。第１トランジスタ７１と第２トランジスタ７２には、ｏｎ抵抗が極力小さく電圧低下を無視できるレベルのものを用いることができる。第３トランジスタ７３、第４トランジスタ７４、及び第５トランジスタ７５は、バイポーラトランジスタである（他種のトランジスタでも良い）。
【００４１】
第１トランジスタ７１のソースは、ＡＣ−ＤＣ電源部５の出力端子と接続される。その結果、第１トランジスタ７１のソースには、第１電圧Ｖ１が印加される。第１トランジスタ７１のゲートは、第５トランジスタ７５のコレクタと接続される。第１トランジスタ７１のドレインは、ＣＰＵ２１と接続される。
【００４２】
第２トランジスタ７２のソースとＤＣＤＣコンバーター６の出力端子が接続される。その結果、第２トランジスタ７２のソースには、第２電圧Ｖ２が印加される。第２トランジスタ７２のゲートは、第３トランジスタ７３のコレクタと接続される。第２トランジスタ７２のドレインは、ＣＰＵ２１と接続される。
【００４３】
第３トランジスタ７３のベースには、抵抗Ｒ２を介して切替指示信号Ｓ４が入力される。第３トランジスタ７３のコレクタは、抵抗Ｒ１を介してＡＣ−ＤＣ電源部５の出力端子と接続される。また、第３トランジスタ７３のコレクタは、第２トランジスタ７２のゲートにも接続される。また、抵抗Ｒ１と第３トランジスタ７３のコレクタの間に設けられた接続点が第２トランジスタ７２のゲートと接続される。第３トランジスタ７３のエミッタは、グランドに接続される。
【００４４】
第４トランジスタ７４のベースには、抵抗Ｒ３を介して切替指示信号Ｓ４が入力される。第４トランジスタ７４のコレクタは、抵抗Ｒ４を介してＡＣ−ＤＣ電源部５の出力端子と接続される。第４トランジスタ７４７４のエミッタは、グランドに接続される。
【００４５】
第５トランジスタ７５のベースは、抵抗Ｒ４と第４トランジスタ７４のコレクタの間に設けられた接続点と接続される。第５トランジスタ７５のコレクタは、抵抗Ｒ５を介してＡＣ−ＤＣ電源部５の出力端子と接続される。抵抗Ｒ５と第５トランジスタ７５のコレクタの間に設けられた接続点が第１トランジスタ７１のゲートと接続される。第５トランジスタ７５のエミッタは、グランドに接続される。
【００４６】
切替指示信号Ｓ４がＨｉｇｈのとき（通常モードのとき、ＡＣ−ＤＣ電源部５が通常電圧を出力するとき）、第４トランジスタ７４がＯＮ状態となる。そして、第５トランジスタ７５のベースの電位がグランドレベルとなる。これにより、第５トランジスタ７５がＯＦＦ状態となる。そして、第１トランジスタ７１のゲートの電位がＡＣ−ＤＣ電源部５が出力する第１電圧Ｖ１となる。第１トランジスタ７１のソースにもＡＣ−ＤＣ電源部５が出力する第１電圧Ｖ１が印加されているので、第１トランジスタ７１のゲート−ソース間電圧が等しくなる。その結果、切替指示信号Ｓ４がＨｉｇｈのとき、第１トランジスタ７１は、ＯＦＦ状態となる。
【００４７】
一方、切替指示信号Ｓ４がＨｉｇｈのとき、第３トランジスタ７３がＯＮ状態となる。そして、第２トランジスタ７２のゲートの電位がグランドレベルとなる。そのため、第２トランジスタ７２がＯＮ状態となる。
【００４８】
つまり、切替指示信号Ｓ４がＨｉｇｈのとき、切替部７は、ＤＣＤＣコンバーター６の第２電圧Ｖ２を第３電圧Ｖ３として出力する。その結果、ＤＣＤＣコンバーター６の第２電圧Ｖ２がＣＰＵ２１に印加される。
【００４９】
一方、切替指示信号Ｓ４がＬｏｗのとき（省電力モードのとき、ＡＣ−ＤＣ電源部５が省エネ電圧を出力するとき）、第３トランジスタ７３がＯＦＦ状態となる。そして、第２トランジスタ７２のゲートの電位がＡＣ−ＤＣ電源部５が出力する第１電圧Ｖ１となる。第２トランジスタ７２のソースは、ＤＣＤＣコンバーター６の出力端子と接続される。ここで、ＤＣＤＣコンバーター６は、省電力モードでは停止する。そのため、第２トランジスタ７２がＯＦＦ状態となる。
【００５０】
また、切替指示信号Ｓ４がＬｏｗのとき、第４トランジスタ７４がＯＦＦ状態となる。そして、第５トランジスタ７５のベースの電位がＡＣ−ＤＣ電源部５が出力する第１電圧Ｖ１となる。これにより、第５トランジスタ７５がＯＮ状態となる。そして、第１トランジスタ７１のゲートの電位がグランドレベルとなる。第１トランジスタ７１のソースにはＡＣ−ＤＣ電源部５が出力する第１電圧Ｖ１が印加されているので、第１トランジスタ７１のゲート−ソース間電圧の電位差が十分確保される。その結果、切替指示信号Ｓ４がＬｏｗのとき、第１トランジスタ７１は、ＯＮ状態となる。
【００５１】
つまり、切替指示信号Ｓ４がＬｏｗのとき、切替部７は、ＡＣ−ＤＣ電源部５の第１電圧Ｖ１を第３電圧Ｖ３として出力する。その結果、ＡＣ−ＤＣ電源部５の第１電圧Ｖ１（省エネ電圧）がＣＰＵ２１に印加される。
【００５２】
このように、第１トランジスタ７１と第２トランジスタ７２は、通常モードと省電力モードでは何れか一方がＯＮする。そして、第１トランジスタ７１は、ＡＣ−ＤＣ電源部５の出力が印加される。第１トランジスタ７１は、切替指示信号Ｓ４がＬｏｗのときＯＮ状態となり、ＯＮ状態では省エネ電圧に基づく電圧を第３電圧Ｖ３として出力するスイッチとして機能する。第２トランジスタ７２は、ＤＣＤＣコンバーター６の出力が印加され、切替指示信号Ｓ４がＨｉｇｈのときＯＮ状態となり、ＯＮ状態では第２電圧Ｖ２に基づく電圧を第３電圧Ｖ３として出力するスイッチとして機能する。
【００５３】
（監視回路部８）
次に、図５を用いて、実施形態に係る監視回路部８のハードウェアを説明する。図５は、実施形態に係る監視回路部８のハードウェアの一例を示す図である。
【００５４】
監視回路部８は、第１コンパレーター８１、第１ツェナーダイオードＺ１、第２コンパレーター８２、第２ツェナーダイオードＺ２、論理和回路８３、排他的論理和回路８４を含む。このように、監視回路部８は、ハードウェア（回路）のみで構成される。
【００５５】
第１コンパレーター８１は、切替指示信号Ｓ４を出力する。第１コンパレーター８１のプラスの入力端子には、ＡＣ−ＤＣ電源部５の第１電圧Ｖ１が入力される。第１コンパレーター８１のマイナスの入力端子には第１参照電圧Ｖｒ１が入力される。
【００５６】
第１参照電圧Ｖｒ１は、切替部７の出力電圧（第３電圧Ｖ３）に基づき生成される。具体的に、抵抗Ｒ６を介して、切替部７に第１ツェナーダイオードＺ１が接続される。第１ツェナーダイオードＺ１のツェナー電圧は、３．６Ｖである。第１ツェナーダイオードＺ１のツェナー電圧を３．６Ｖとする根拠の１つは、ＣＰＵ２１のような３．３Ｖ系の電子部品で推奨される入力電圧範囲の一般的な上限値が３．６Ｖが多いことである。なお、第１参照電圧Ｖｒ１の大きさは、ＣＰＵ２１の駆動電圧範囲に応じて変更される。そして、抵抗Ｒ６と第１ツェナーダイオードＺ１の間の電圧が第１参照電圧Ｖｒ１として、第１コンパレーター８１のマイナスの入力端子に入力される。
【００５７】
つまり、第１コンパレーター８１は、ＡＣ−ＤＣ電源部５からの第１電圧Ｖ１が３．６Ｖ以上であるとＨｉｇｈを出力し、３．６Ｖ未満になるとＬｏｗを出力する。ＤＣＤＣコンバーター６の出力電圧（第２電圧Ｖ２）の定格出力電圧は、３．３Ｖである。ＡＣ−ＤＣ電源部５からの第１電圧Ｖ１が３．６Ｖ以上であれば、ＤＣＤＣコンバーター６は定格出力電圧を出力できる。
【００５８】
第１コンパレーター８１の出力は、切替指示信号Ｓ４として切替部７に入力される。つまり、第１コンパレーター８１の出力がＨｉｇｈのとき、切替部７は、ＤＣＤＣコンバーター６の出力電圧（第２電圧Ｖ２）を第３電圧Ｖ３としてＣＰＵ２１に印加する。第１コンパレーター８１の出力がＬｏｗのとき、切替部７は、ＡＣ−ＤＣ電源部５の第１電圧Ｖ１（省エネ電圧）を第３電圧Ｖ３としてＣＰＵ２１に印加する。
【００５９】
また、論理和回路８３は、ＤＣＤＣコンバーター６に入力するイネーブル信号Ｓ２を生成する。第１コンパレーター８１は、論理和回路８３の一方の入力端子に出力を入力する。また、制御回路は、論理和回路８３の他方の入力端子に電源制御信号Ｓ１を入力する。
【００６０】
ここで、通常モードと省電力モードの遷移にあわせ、ＡＣ−ＤＣ電源部５からの第１電圧Ｖ１を切り替えるため、ＣＰＵ２１は、電源制御信号Ｓ１をＡＣ−ＤＣ電源部５に入力する。本実施形態のプリンター１００では、電源制御信号Ｓ１がＨｉｇｈのとき、ＡＣ−ＤＣ電源部５は、通常電圧を生成する。電源制御信号Ｓ１がＬｏｗのとき、ＡＣ−ＤＣ電源部５は、省エネ電圧を生成する。
【００６１】
つまり、論理和回路８３は、ＡＣ−ＤＣ電源部５からの第１電圧Ｖ１が３．６Ｖ以上であることと、電源制御信号Ｓ１がＨｉｇｈであること（通常電圧の生成を指示していること）の何れか一方の条件が満たされているとき、Ｈｉｇｈを出力する。論理和回路８３は、出力をイネーブル信号Ｓ２としてＤＣＤＣコンバーター６に入力する。通常モードでは、ＤＣＤＣコンバーター６を動作させる。そのため、論理和回路８３の出力（イネーブル信号Ｓ２）のＨｉｇｈは、イネーブル信号Ｓ２がＤＣＤＣコンバーター６の動作を指示するレベルとなる。ＤＣＤＣコンバーター６は、イネーブル信号Ｓ２がＨｉｇｈの間、動作して第２電圧Ｖ２を生成する。
【００６２】
一方、ＡＣ−ＤＣ電源部５からの第１電圧Ｖ１が３．６Ｖ未満かつ、電源制御信号Ｓ１がＬｏｗである（省エネ電圧の生成を指示している）状態では、論理和回路８３の出力は、Ｌｏｗとなる。このような状態は、省電力モードに移行した、又は、省電力モードへの移行が進んでいる状態である。ＤＣＤＣコンバーター６は動作させる必要がない。そこで、ＤＣＤＣコンバーター６は、イネーブル信号Ｓ２がＬｏｗになると停止する。これにより、省電力モードで消費される電力を減らすことができる。
【００６３】
第２コンパレーター８２、第２ツェナーダイオードＺ２、排他的論理和回路８４は、切替通知信号Ｓ３の生成のために設けられる。第２コンパレーター８２のプラスの入力端子には、ＡＣ−ＤＣ電源部５の第１電圧Ｖ１が入力される。第２コンパレーター８２のマイナスの入力端子には第２参照電圧Ｖｒ２が入力される。
【００６４】
第２参照電圧Ｖｒ２は、切替部７の出力電圧（第３電圧Ｖ３）に基づき生成される。具体的に、抵抗Ｒ７を介して、切替部７に第２ツェナーダイオードＺ２が接続される。第２ツェナーダイオードＺ２のツェナー電圧は、３．８Ｖである。第２参照電圧Ｖｒ２は、第１参照電圧Ｖｒ１及び省エネ電圧よりも大きく、ＡＣ−ＤＣ電源部５が出力する通常電圧よりも小さい。
【００６５】
切替通知信号Ｓ３は、切替部７でまもなく切替がなされることをＣＰＵ２１に通知する信号である。通常電圧から省エネ電圧に出力目標を切り替えたとき（電源制御信号Ｓ１がＨｉｇｈからＬｏｗになったとき）から単位時間あたりのＡＣ−ＤＣ電源部５の電圧降下率に、前もって知っておきたい時間を乗じて得られる値を求める。乗じた値を第１参照電圧Ｖｒ１に加えることにより、第２参照電圧Ｖｒ２の大きさを定めることができる。そして、抵抗Ｒ３と第２ツェナーダイオードＺ２の間の電圧（３．８Ｖ）が第２参照電圧Ｖｒ２として、第２コンパレーター８２のマイナスの入力端子に入力される。
【００６６】
つまり、第２コンパレーター８２は、ＡＣ−ＤＣ電源部５の第１電圧Ｖ１が３．８Ｖ以上のときＨｉｇｈを出力し、３．８Ｖ未満のときＬｏｗを出力する。そして、第２コンパレーター８２の出力は、排他的論理和回路８４の一方の入力端子に入力される。また、ＤＣＤＣコンバーター６の出力が、排他的論理和回路８４の他方の入力端子に入力される。
【００６７】
その結果、排他的論理和回路８４の出力は、以下のとき、ＬｏｗからＨｉｇｈに変化する。つまり、モード遷移にともなう切替部７での切り替えが一定時間内に、まもなく行われる状態である。
（１）ＤＣＤＣコンバーター６が動作している状態（設定電圧を出力している状態）で、ＡＣ−ＤＣ電源部５からの第１電圧Ｖ１が３．８Ｖ未満となったとき
・省電力モードへの移行時、省エネ電圧（３．０Ｖ）へのＡＣ−ＤＣ電源部５が出力する電圧の切り替えがなされる。それにより、電圧ＡＣ−ＤＣ電源部５の生成電圧（第１電圧Ｖ１）が低下する。つまり、第１電圧Ｖ１が３．６Ｖ（ＤＣＤＣコンバーター６の第２電圧Ｖ２から第１電圧Ｖ１への切替時点）に近づいている状態である。
（２）ＤＣＤＣコンバーター６が動作している状態（設定電圧を出力している状態）であるが、ＡＣ−ＤＣ電源部５からの第１電圧Ｖ１が３．８Ｖをまだ超えていないとき
・通常モードへの復帰開始時、Ｈｉｇｈの電源制御信号Ｓ１が論理和回路８３に入力されることによって、イネーブル信号Ｓ２がＨｉｇｈとなる。その結果、通常モードへの復帰開始当初からＤＣＤＣコンバーター６の動作が開始されている。そして、第１電圧Ｖ１が３．６Ｖ（ＤＣＤＣコンバーター６が停止する電圧値）に近づいている状態である。つまり、ＡＣ−ＤＣ電源部５の第１電圧Ｖ１が、３．６Ｖ（第１電圧Ｖ１からＤＣＤＣコンバーター６の第２電圧Ｖ２への切替時点）に近づいている状態である。
【００６８】
一方、排他的論理和回路８４の出力は、以下のとき、ＨｉｇｈからＬｏｗに変化する。
（１）通常モードとするため、ＤＣＤＣコンバーター６が設定電圧を出力し、かつ、ＡＣ−ＤＣ電源部５の第１電圧Ｖ１が３．８Ｖ以上になったとき（切替部７が第１電圧Ｖ１から第２電圧Ｖ２に切り替え済の時点）
（２）省電力モードとするため、ＡＣ−ＤＣ電源部５からの第１電圧Ｖ１が３．８Ｖ以下に降下し、かつ、ＤＣＤＣコンバーター６の動作が停止したとき（切替部７が第２電圧Ｖ２から第１電圧Ｖ１に切り替え済の時点）
【００６９】
（主電源投入時の起動動作）
次に、図６を用いて、実施形態に係る電源装置１の主電源投入時の動作の流れを説明する。図６は、実施形態に係る電源装置１の主電源投入時の動作の流れを示すタイミングチャートである。
【００７０】
プリンター１００の主電源のＯＮ／ＯＦＦのため、プリンター１００には、主電源スイッチ１０１が設けられる（図３参照）。主電源スイッチ１０１によって主電源が投入されると、起動が開始される。起動完了後、電源装置１（プリンター１００）のモードは、通常モードとなる。なお、主電源がＯＦＦされているとき、ＡＣ−ＤＣ電源部５は、ＣＰＵ２１への電力供給を停止している。
【００７１】
主電源スイッチ１０１のＯＮ操作がなされた旨の信号は、ＡＣ−ＤＣ電源部５に入力される。この信号を受け、ＡＣ−ＤＣ電源部５の電圧制御部５０は、通常電圧の生成を開始する（図６のＡ１の時点）。このとき、まだ、切替指示信号Ｓ４はＬｏｗなので、切替部７は、ＡＣ−ＤＣ電源部５からの第１電圧Ｖ１をＣＰＵ２１に印加する。
【００７２】
ＡＣ−ＤＣ電源部５の第１電圧Ｖ１がＣＰＵ２１の動作電圧範囲の下限値を上回ると、ＣＰＵ２１が動作を開始する。これに伴い、ＣＰＵ２１は、電源制御信号Ｓ１をＬｏｗからＨｉｇｈに変化させる（図６のＡ２の時点）。これに伴い、イネーブル信号Ｓ２（論理和回路８３の出力信号）がＬｏｗからＨｉｇｈに変化し、ＤＣＤＣコンバーター６が動作を開始する（図６のＡ２の時点）。
【００７３】
ＡＣ−ＤＣ電源部５の第１電圧Ｖ１は、通常電圧（２４Ｖ）に向けて次第に上昇する。その結果、第１電圧Ｖ１は、３．６Ｖ以上となる（図６のＡ３の時点）。これに伴い、切替指示信号Ｓ４（第１コンパレーター８１）がＬｏｗからＨｉｇｈに変化する（図６のＡ３の時点）。その結果、切替部７は、第３電圧Ｖ３として、第２電圧Ｖ２（ＤＣＤＣコンバーター６の３．３Ｖ）に基づく電圧を出力する。
【００７４】
その後、第１電圧Ｖ１は、最終的に通常電圧（２４Ｖ）に到達する（図６のＡ４の時点）。これにより、モーター４１を回転させて印刷が可能な状態となる。そして、電源装置１（プリンター１００）は、通常モードで立ち上がる。
【００７５】
（省電力モードへの移行）
次に、図７を用いて、実施形態に係る電源装置１の省電力モード移行時の動作の流れを説明する。図７は、実施形態に係る電源装置１の省電力モード移行時の動作の流れを示すタイミングチャートである。
【００７６】
省電力モードへの移行条件が満たされると、ＣＰＵ２１は、電源制御信号Ｓ１のレベルを省エネ電圧の生成を指示するレベル（Ｌｏｗ）に変化させる（図７のＢ１の時点）。ＡＣ−ＤＣ電源部５は、省エネ電圧（３．０Ｖ）に向けて第１電圧Ｖ１の降圧を開始する。
【００７７】
ＡＣ−ＤＣ電源部５の第１電圧Ｖ１の降下が続き、やがて３．８Ｖに到達する（図７のＢ２の時点）。これにより、排他的論理和回路８４の出力（切替通知信号Ｓ３）がＬｏｗ→Ｈｉｇｈに変化する（図７のＢ２の時点）。切替通知信号Ｓ３はＣＰＵ２１に入力される。その結果、図７のうち、網掛けで示す予め定められた時間、ＣＰＵ２１は、複数のモードのうち、最も消費電力の少ないモードにする（ＣＰＵ２１のスリープモード）。
【００７８】
第１電圧Ｖ１の降下が続き、やがて３．６Ｖに到達する（図７のＢ３の時点）。これにより、第１コンパレーター８１の出力（切替指示信号Ｓ４）がＨｉｇｈ→Ｌｏｗに変化する（図７のＢ３の時点）。切替指示信号Ｓ４は切替部７に入力される。その結果、切替部７からの第３電圧Ｖ３は、ＤＣＤＣコンバーター６の第２電圧Ｖ２から、第１電圧Ｖ１に基づく電圧に切り替えられる（図７のＢ３の時点、３．６Ｖに一時的に上昇）。
【００７９】
ここで、モード切替に伴う切替部７の出力電圧の切替では、第１トランジスタ７１と第２トランジスタ７２のＯＮ、ＯＦＦの切替がなされる。このとき、一時的に第１トランジスタ７１と第２トランジスタ７２ともにＯＦＦ状態となることがある。この状態では、新たな電力が供給されないのでＣＰＵ２１に電力を供給するラインに残った電荷が消費される。このとき、ＣＰＵ２１の状態が電流の消費が大きい状態であると、ＣＰＵ２１に印加される電圧のドロップが大きくなる。ＣＰＵ２１の動作に必要な電圧の最低値を下回るほどの電圧ドロップが生ずると、ＣＰＵ２１が停止する。切替通知信号Ｓ３がＬｏｗ→Ｈｉｇｈに変化した時点（図７のＢ２の時点）、つまり、切替部７での第３電圧Ｖ３の切り替えの前の時点で、ＣＰＵ２１の停止を防ぐため、ＣＰＵ２１は、最も消費電力の少ないモードに移行する。
【００８０】
また、電源制御信号Ｓ１及び第１コンパレーター８１が何れもＬｏｗとなり、論理和回路８３の出力信号（イネーブル信号Ｓ２）もＬｏｗとなる。その結果、イネーブル信号Ｓ２が停止指示レベルとなり、ＤＣＤＣコンバーター６が停止する（図７のＢ３の時点）。ＤＣＤＣコンバーター６の停止によって、排他的論理和回路８４（切替通知信号Ｓ３）のレベルもＬｏｗとなる。また、ＣＰＵ２１は、切替通知信号Ｓ３がＬｏｗになっても、第１トランジスタ７１と第２トランジスタ７２の何れかが確実にＯＮしている時点まで、最も消費電力の少ないモードを継続する。マージンを持たせるため、予め定められた時間は、切替通知信号Ｓ３がＨｉｇｈからＬｏｗに変化するまでの時間よりも長い。
【００８１】
その後、ＡＣ−ＤＣ電源部５の第１電圧Ｖ１は、最終的に省エネ電圧（３．０Ｖ）に到達する（図７のＢ４の時点）。切替部７からの第３電圧Ｖ３も省エネ電圧となる（図７のＢ４の時点）。そして、省電力モードでもＣＰＵ２１への電力供給が続けられる。
【００８２】
（通常モードへの復帰）
次に、図８を用いて、実施形態に係る電源装置１の通常モードへの復帰時の動作の流れを説明する。図８は、実施形態に係る電源装置１の通常モードへの復帰時の動作の流れを示すタイミングチャートである。
【００８３】
通常モードへの復帰条件が満たされると、ＣＰＵ２１は、電源制御信号Ｓ１のレベルを通常電圧の生成を指示するレベル（Ｈｉｇｈ）に変化させる（図８のＣ１の時点）。これにより、ＡＣ−ＤＣ電源部５は、通常電圧（２４Ｖ）に向けて第１電圧Ｖ１の昇圧を開始する。また、電源制御信号Ｓ１がＨｉｇｈとなるので、論理和回路８３の出力信号（イネーブル信号Ｓ２）はＨｉｇｈとなる。その結果、ＤＣＤＣコンバーター６の動作が開始される（３．３Ｖの生成が開始される。図８のＣ１の時点）。
【００８４】
ＤＣＤＣコンバーター６の出力上昇によって、排他的論理和回路８４のうち、一方の入力端子（ＤＣＤＣコンバーター６の第２電圧Ｖ２）のみがＨｉｇｈとなる（図８のＣ２の時点）。これにより、排他的論理和回路８４の出力（切替通知信号Ｓ３）がＬｏｗからＨｉｇｈに変化する（図８のＣ２の時点）。切替通知信号Ｓ３はＣＰＵ２１に入力される。その結果、図８のうち、網掛けで示す予め定められた時間、ＣＰＵ２１は、複数のモードのうち、最も消費電力の少ないモードにする（ＣＰＵ２１のスリープモード）。
【００８５】
ＡＣ−ＤＣ電源部５の第１電圧Ｖ１は、通常電圧（２４Ｖ）に向けて次第に上昇を続ける。その結果、ＡＣ−ＤＣ電源部５からの第１電圧Ｖ１は、３．６Ｖ以上となる（図８のＣ３の時点）。これに伴い、切替指示信号Ｓ４（第１コンパレーター８１）がＬｏｗからＨｉｇｈに変化する。（図８のＣ３の時点）。その結果、切替部７は、第３電圧Ｖ３として、第２電圧Ｖ２（ＤＣＤＣコンバーター６の３．３Ｖ）に基づく電圧を出力する。
【００８６】
第１電圧Ｖ１の昇圧が続き、やがて３．８Ｖに到達する（図８のＣ４の時点）。第２コンパレーター８２の出力とＤＣＤＣコンバーター６の出力のいずれもがＨｉｇｈレベルとなる。これにより、排他的論理和回路８４の出力（切替通知信号Ｓ３）がＨｉｇｈからＬｏｗに変化する（図８のＣ４の時点）。ＣＰＵ２１は、切替通知信号Ｓ３がＬｏｗになっても、第１トランジスタ７１と第２トランジスタ７２の何れかが確実にＯＮしている時点まで、最も消費電力の少ないモードを継続する。つまり、マージンを持たせるため、予め定められた時間は、切替通知信号Ｓ３がＨｉｇｈからＬｏｗに変化するまでの時間よりも長くする。
【００８７】
その後、ＡＣ−ＤＣ電源部５からの第１電圧Ｖ１は、最終的に、通常電圧（２４Ｖ）に到達する（図８のＣ５の時点）。これにより、モーター４１を回転させて印刷が可能な状態となる。そして、電源装置１（プリンター１００）は、通常モードで立ち上がる。
【００８８】
このようにして、実施形態に係る電源装置１は、直流の通常電圧と、通常電圧よりも小さい直流電圧である省エネ電圧を生成可能であり、何れか一方を第１電圧Ｖ１として出力するＡＣ−ＤＣ電源部５と、省エネ電圧よりも大きく、通常電圧よりも小さい電圧であって、予め定められた大きさの設定電圧を第１電圧Ｖ１に基づき生成し、第２電圧Ｖ２として出力するＤＣＤＣコンバーター６と、省電力モードでも動作し、また、通常モードのときＡＣ−ＤＣ電源部５に通常電圧を生成、出力させ、通常モードで予め定められた移行条件が満たされたことにより省電力モードに移行し、省電力モードではＡＣ−ＤＣ電源部５に省エネ電圧を生成、出力させ、省電力モードで予め定められた復帰条件が満たされたことにより通常モードに復帰する制御回路（ＣＰＵ２１）と、第１電圧Ｖ１及び第２電圧Ｖ２が入力され、第１電圧Ｖ１及び第２電圧Ｖ２の何れか一方に基づく電圧を第３電圧Ｖ３として出力し、第３電圧Ｖ３を制御回路に入力して制御回路を動作させる切替部７と、省電力モードでは第１電圧Ｖ１を第３電圧Ｖ３として切替部７に出力させるとともにＤＣＤＣコンバーター６を停止させ、通常モードではＤＣＤＣコンバーター６を動作させ、第２電圧Ｖ２を第３電圧Ｖ３として切替部７に出力させる監視回路部８と、を含む。これにより、省電力モードでは、ＤＣＤＣコンバーター６をＯＦＦする（停止させる）ことができる。従って、従来よりも省電力モードでの消費電力を減らすことができる。
【００８９】
また、監視回路部８は、プラスの入力端子に第１電圧Ｖ１が入力され、マイナスの入力端子には省エネ電圧よりも大きく通常電圧よりも小さい第１参照電圧Ｖｒ１が入力される第１コンパレーター８１と、論理和回路８３を含む。制御回路（ＣＰＵ２１）は、ＡＣ−ＤＣ電源部５に生成すべき電圧を指示する電源制御信号Ｓ１を出力し、通常モードとするため通常電圧を生成させるとき、電源制御信号Ｓ１のレベルをＨｉｇｈとし、省電力モードとするため省エネ電圧を生成させるとき、電源制御信号Ｓ１のレベルをＬｏｗとし、第１コンパレーター８１は、論理和回路８３の一方の入力端子に第１コンパレーター８１の出力を入力する。制御回路は、論理和回路８３の他方の入力端子に電源制御信号Ｓ１を入力する。論理和回路８３は、出力をイネーブル信号Ｓ２としてＤＣＤＣコンバーター６に入力する。ＤＣＤＣコンバーター６は、イネーブル信号Ｓ２がＨｉｇｈの間、動作して第２電圧Ｖ２を生成し、イネーブル信号Ｓ２がＬｏｗになると停止する。
【００９０】
通常モードから省電力モードへの移行時では、第１電圧Ｖ１の低下に伴い、第１コンパレーター８１の出力はＬｏｗに変化する。また、通常モードから省電力モードへの移行時、電源制御信号Ｓ１もＬｏｗとなる。その結果、論理和信号の出力もＬｏｗとなる。その結果、イネーブル信号Ｓ２が停止を指示するレベルとなる。このように、通常モードから省電力モードへの移行時、第１電圧Ｖ１の低下に伴い、自動的にＤＣＤＣコンバーター６をＯＦＦさせることができる。一方、省電力モードから通常モードへの復帰時、電源制御信号Ｓ１はＨｉｇｈとなる。その結果、論理和信号の出力もＨｉｇｈとなる。このように、省電力モードからから通常電圧への復帰時、ＡＣ−ＤＣ電源部５の生成電圧の切替に伴って、自動的にＤＣＤＣコンバーター６の動作を開始させることができる。また、コンパレーターや論理和回路８３を組み合わせた簡易なハードウェア回路で監視回路部８を実現できる。従って、ソフトウェアによる制御の必要を無くすことができる。なお、第１参照電圧Ｖｒ１は、通常電圧よりも小さく、省エネ電圧よりも大きい電圧である。
【００９１】
また、第１コンパレーター８１は、出力を切替指示信号Ｓ４として切替部７に入力する。切替部７は、切替指示信号Ｓ４がＨｉｇｈのとき第２電圧Ｖ２に基づく電圧を第３電圧Ｖ３として出力し、切替指示信号Ｓ４がＬｏｗのとき第１電圧Ｖ１に基づく電圧を第３電圧Ｖ３として出力する。
【００９２】
これにより、通常モードでは、第１コンパレーター８１はＨｉｇｈを出力するので、切替部７からＤＣＤＣコンバーター６の第２電圧Ｖ２に基づく電圧を制御回路（ＣＰＵ２１）に供給することができる。省電力モードでは、第１コンパレーター８１はＬｏｗを出力するので、切替部７からＡＣ−ＤＣ電源部５の第１電圧Ｖ１（省エネ電圧）を制御回路に供給することができる。そして、モードを問わず、制御回路に電力供給を続けることができる。また、通常モードから省電力モードへの移行時、第１電圧Ｖ１の低下に伴い、第１コンパレーター８１の出力はＬｏｗに変化する。移行の途中で、制御回路に印加する電圧を第２電圧Ｖ２から第１電圧Ｖ１（省エネ電圧）に基づく電圧に自動的に切り替えることができる。一方、省電力モードから通常モードへの復帰時、第１電圧Ｖ１が通常電圧まで上昇する過程で、第１コンパレーター８１の出力はＨｉｇｈに変化する。この時点でＤＣＤＣコンバーター６は動作を開始済である。従って、復帰の途中で、制御回路に印加する電圧を第１電圧Ｖ１から第２電圧Ｖ２に自動的に切り替えることができる。
【００９３】
また、切替部７は、切替指示信号Ｓ４が入力される第１トランジスタ７１、第２トランジスタ７２を含む。第１トランジスタ７１と第２トランジスタ７２は、一方がＯＮのとき他方がＯＦＦとなる。第１トランジスタ７１は、ＡＣ−ＤＣ電源部５の第１電圧Ｖ１が印加され、切替指示信号Ｓ４がＨｉｇｈのときＯＦＦ状態となりＬｏｗのときＯＮ状態となり、ＯＮ状態では第１電圧Ｖ１に基づく電圧を第３電圧Ｖ３として出力する。第２トランジスタ７２は、ＤＣＤＣコンバーター６の第２電圧Ｖ２が印加され、切替指示信号Ｓ４がＬｏｗのときＯＦＦ状態となりＨｉｇｈのときＯＮ状態となり、ＯＮ状態では第２電圧Ｖ２に基づく電圧を第３電圧Ｖ３として出力する。
【００９４】
これにより、第２電圧Ｖ２と省エネ電圧のうち何れか一方を出力する切替部７を、トランジスタによって容易に実現できる。また、切替指示信号Ｓ４の生成元や切替部７を回路（ハードウェア）で実現でき、ソフトウェア制御を行わなくて済む。
【００９５】
通常モードと省電力モード間のモードの遷移中に、制御回路（ＣＰＵ２１）に印加する電圧が切替部７によって切り替えられる。切替部７での切替時、一時的に第１トランジスタ７１と第２トランジスタ７２ともにＯＦＦ状態となることがある。この状態のとき、ＣＰＵ２１に印加される電圧のドロップが大きすぎると、ＣＰＵ２１が停止する。そこで、制御回路（ＣＰＵ２１）は、消費電力に差がある複数のモードを有する。監視回路部８は、プラスの入力端子に第１電圧Ｖ１が入力され、マイナスの入力端子には通常電圧よりも小さく、第１参照電圧Ｖｒ１と省エネ電圧よりも大きい第２参照電圧Ｖｒ２が入力される第２コンパレーター８２と、排他的論理和回路８４を含む。第２コンパレーター８２は、第１電圧Ｖ１が第２参照電圧Ｖｒ２よりも大きい間、Ｈｉｇｈを出力する。第２コンパレーター８２は、排他的論理和回路８４の一方の入力端子に第２コンパレーター８２の出力を入力する。ＤＣＤＣコンバーター６は、排他的論理和回路８４の他方の入力端子にＤＣＤＣコンバーター６の出力を入力する。排他的論理和回路８４は、出力を切替通知信号Ｓ３として制御回路に入力する。制御回路は、切替通知信号Ｓ３が立ち上がった後、予め定められた時間、複数のモードのうち、消費電力が最も小さいモードを維持する。
【００９６】
通常モードでは、ＡＣ−ＤＣ電源部５（第１電圧Ｖ１）とＤＣＤＣコンバーター６が排他的論理和回路８４の両入力端子にＨｉｇｈを入力するので、排他的論理和回路８４の出力は、Ｌｏｗとなる。省電力モードでは、ＤＣＤＣコンバーター６は停止している。また、第２コンパレーター８２の出力もＬｏｗとなる。そのため、排他的論理和回路８４の出力は、Ｌｏｗとなる。一方、省電力モードへの移行のため、２つの入力端子のうち、第１電圧Ｖ１が第２参照電圧Ｖｒ２を下回った時点で第２コンパレーター８２がＬｏｗとなり排他的論理和回路８４の出力は立ち上がる（Ｈｉｇｈとなる）。第２参照電圧Ｖｒ２は第１参照電圧Ｖｒ１よりも大きいので、切替部７の電圧切替の前の時点で排他的論理和回路８４の出力が立ち上がる。また、省電力モードから通常モードへの復帰開始の時点で、ＤＣＤＣコンバーター６が動作を開始し、ＤＣＤＣコンバーター６の第２電圧Ｖ２上昇によって、切替部７の切替前（第１電圧Ｖ１が第１参照電圧Ｖｒ１を超える前）に、排他的論理和回路８４の出力は立ち上がる。このように、モードの遷移中、切替部７による第３電圧Ｖ３の切替前に、排他的論理和回路８４の出力は立ち上がる。ここで、モード切替に伴う切替部７の出力電圧の切替では、第１トランジスタ７１と第２トランジスタ７２のＯＮ、ＯＦＦの切替がなされる。このとき、一時的に第１トランジスタ７１と第２トランジスタ７２ともにＯＦＦ状態となることがある。この状態では、新たな電力が供給されないのでＣＰＵ２１に電力を供給するラインに残った電荷が消費される。ＣＰＵ２１の状態が電流の消費が大きい状態であると、ＣＰＵ２１に印加される電圧のドロップが大きくなる。ＣＰＵ２１の動作に必要な電圧の最低値を下回るほどの電圧ドロップが生ずると、ＣＰＵ２１が停止する。そこで、この立ち上がりをトリガとして、制御回路（ＣＰＵ２１）のモードを消費電力が最も小さいモードとすることができる。そして、モードの切替にともなって、切替部７内のトランジスタのスイッチングが行われる時点での制御回路（ＣＰＵ２１）に流れ込む電流を減らしつつ、各トランジスタの切替が完了するまで、切替部７のトランジスタでの電圧ドロップを防ぐことができる。また、コンパレーターや排他的論理和回路８４を組み合わせた簡易なハードウェア回路で監視回路部８を実現できる。
【００９７】
また、制御回路（ＣＰＵ２１）は、ＡＣ−ＤＣ電源部５に生成すべき電圧を指示する電源制御信号Ｓ１を出力し、通常電圧を生成させるとき、電源制御信号Ｓ１のレベルをＨｉｇｈとし、省エネ電圧を生成させるとき、電源制御信号Ｓ１のレベルをＬｏｗとする。ＡＣ−ＤＣ電源部５は、入力される電源制御信号Ｓ１のレベルに応じた電圧を生成、出力する。これにより、制御回路（ＣＰＵ２１）は、ＡＣ−ＤＣ電源部５が生成、出力する電圧を制御することができる。また、制御回路（ＣＰＵ２１）は、電源制御信号Ｓ１のＨｉｇｈ、Ｌｏｗだけを切り替えるだけで、監視回路部８の回路と、切替部７の回路の動作によって、モードと切替部７の出力を切り替えられる。
【００９８】
また、画像形成装置（プリンター１００）は、上述の電源装置１を含む。これにより、省電力モードでは、ＤＣＤＣコンバーター６をＯＦＦ（停止）させることができる。従って、従来よりも省電力モードでの消費される電力が少ない画像形成装置を提供することができる。
【００９９】
又、本発明の実施形態を説明したが、本発明の範囲はこれに限定されるものではなく、発明の主旨を逸脱しない範囲で種々の変更を加えて実施することができる。
【産業上の利用可能性】
【０１００】
本発明は、ＤＣＤＣコンバーターを含む電源装置と、この電源装置を備えた画像形成装置に利用可能である。
【符号の説明】
【０１０１】
１００  プリンター（画像形成装置）      １      電源装置
２１    ＣＰＵ（制御回路）              ５      ＡＣ−ＤＣ電源部
６      ＤＣＤＣコンバーター            ７      切替部
７１    第１トランジスタ７１                ７２    第２トランジスタ７２
８      監視回路部                      ８１    第１コンパレーター
８２    第２コンパレーター              ８３    論理和回路
８４    排他的論理和回路                Ｓ１    電源制御信号
Ｓ２    イネーブル信号                  Ｓ３    切替通知信号
Ｓ４    切替指示信号                    Ｖ１    第１電圧
Ｖ２    第２電圧                        Ｖ３    第３電圧Ｖ３
Ｖｒ１  第１参照電圧                    Ｖｒ２  第２参照電圧
【図１】
2017063537.tif 000003
【図２】
2017063537.tif 000004
【図３】
2017063537.tif 000005
【図４】
2017063537.tif 000006
【図５】
2017063537.tif 000007
【図６】
2017063537.tif 000008
【図７】
2017063537.tif 000009
【図８】
2017063537.tif 000010